(57)【特許請求の範囲】
【請求項１】
鏡胴内にズームレンズが収容されてなるズームレンズユニットの前記鏡胴を光学装置本体に取り付けるレンズマウント構造であって、
前記鏡胴の後部の外周面両側部に、前記ズームレンズの光軸と平行に延びる１対の取付フランジが形成されており、
前記光学装置本体に、前記鏡胴の後端部を挿入せしめた状態で該後端部を前記光軸方向に移動可能に保持する開口部と、前記１対の取付フランジを前記光軸方向に摺動可能に支持する１対のフランジ支持部とが形成されており、
前記１対の取付フランジを前記１対のフランジ支持部に載せ、前記鏡胴の後端環状部を前記開口部に挿入させた際に、前記鏡胴に作用する前方回転モーメントが、前記後端環状部の上部が前記開口部の上縁に当接することにより受け止められるように構成されていることを特徴とするレンズマウント構造。
【請求項２】
前記各取付フランジに、前記光軸方向に延びる長孔が形成されており、
前記鏡胴の前記光学装置本体への取付けが、前記各取付フランジを、前記長孔を介して前記各フランジ支持部にネジ止め固定することにより行われていることを特徴とする請求項１記載のレンズマウント構造。
【請求項３】
前記１対のフランジの少なくとも一方に、前記ネジ止め固定が行われる前の段階において前記鏡胴を前記光学装置本体に対して前記光軸方向に微調整移動させるための工具挿入孔が形成されていることを特徴とする請求項２記載のレンズマウント構造。
【発明の詳細な説明】
【０００１】
【発明の属する技術分野】
本発明は、ズームレンズユニットの鏡胴を光学装置本体に取り付けるためのレンズマウント構造に関するものである。
【０００２】
【従来の技術】
放送用テレビカメラ等においては、その撮影用レンズにズームレンズが多く用いられる。このズームレンズは、これを鏡胴内に収容したズームレンズユニットとして光学装置本体（カメラ本体）に取り付けられるが、撮影状況に応じてズーム比の異なるズームレンズを選択的に使用できるようにするため、上記鏡胴を光学装置本体に着脱可能に取り付けるように構成されたレンズマウント構造も多く採用されている。
【０００３】
【発明が解決しようとする課題】
しかしながら、従来のレンズマウント構造では、ズームレンズの光軸と直交する面を取付面として鏡胴を光学装置本体に取り付けるようにしているので、次のような問題がある。
【０００４】
すなわち、ズームレンズユニットを備えた光学装置においては、その鏡胴を光学装置本体に取り付ける際に、トラッキング調整（倍率を変化させた場合にもフォーカスを再調整する必要がない位置にズームレンズを設置する調整）を行う必要がある。しかし、上記従来技術ではズームレンズの光軸と直交する面を光学装置本体への取付面としており、鏡胴を光学装置本体に保持せしめた後にこの鏡胴全体を光軸方向に移動させることが難しい。
【０００５】
したがって、従来のトラッキング調整では、ズームレンズのマスタ系レンズをその光軸方向に移動させることによって行うようにしているが、このようにした場合、ズームレンズの構成によっては像面湾曲が大きくなってしまうという問題がある。
本発明はこのような事情に鑑みてなされたもので、像面湾曲を増大させるおそれなくトラッキング調整を行うことができるレンズマウント構造を提供することを目的とするものである。
【０００６】
【課題を解決するための手段】
本発明のレンズマウント構造は、鏡胴内にズームレンズが収容されてなるズームレンズユニットの前記鏡胴を光学装置本体に取り付けるレンズマウント構造であって、前記鏡胴の後部外周面両側部に、前記ズームレンズの光軸と平行に延びる１対の取付フランジが形成されており、前記光学装置本体に、前記鏡胴の後端部を挿入せしめた状態で該後端部を前記光軸方向に移動可能に保持する開口部と、前記１対の取付フランジを前記光軸方向に摺動可能に支持する１対のフランジ支持部とが形成されており、前記１対の取付フランジを前記１対のフランジ支持部に載せ、前記鏡胴の後端環状部を前記開口部に挿入させた際に、前記鏡胴に作用する前方回転モーメントが、前記後端環状部の上部が前記開口部の上縁に当接することにより受け止められるように構成されていることを特徴とするものである。
【０００７】
前記ズームレンズユニットに収容されるズームレンズは、特定の用途のズームレンズに限定されるものではないが、例えば、撮影用レンズ、投影用レンズ等として用いることが可能である。
【０００８】
前記鏡胴の前記光学装置本体への具体的取付構造は、特に限定されるものではないが、例えば、前記各取付フランジに、前記光軸方向に延びる長孔を形成しておき、前記各取付フランジを、前記長孔を介して前記各フランジ支持部にネジ止め固定する取付構造が可能である。
この場合において、前記１対のフランジの少なくとも一方に、前記ネジ止め固定が行われる前の段階において前記鏡胴を前記光学装置本体に対して前記光軸方向に微調整移動させるための工具挿入孔を形成しておけば、この工具挿入孔を利用してトラッキング調整を行うことが可能となる。
【０００９】
【発明の実施の形態】
以下、本発明の実施形態を図面を用いて説明する。
図１は、本発明の一実施形態に係るレンズマウント構造を示す分解斜視図であり、図２は、該レンズマウント構造を示す側断面図であり、図３、４および５は、図２のIII方向矢視図、IV方向矢視図、V-V 線断面図である。
これらの図に示すように、本実施形態に係るレンズマウント構造は、ズームレンズユニット１０を光学装置本体５０に取り付けるためのレンズマウント構造である。
【００１０】
上記ズームレンズユニット１０は、鏡胴１２の内部にズームレンズ１４が収容されてなり、その鏡胴１２は、鏡筒１６と、ズーム用可動リング１８と、フォーカス用可動リング２０とからなっている。そして、ズーム用可動リング１８を回すことにより、該ズーム用可動リング１８に連動するレンズを光軸Ａｘ方向に移動させてズームレンズの倍率を変化させるとともに、フォーカス用可動リング２０を回すことにより、該フォーカス用可動リング２０に連動するレンズを光軸Ａｘ方向に移動させてズームレンズの結像位置が一定となるようにしている。
【００１１】
上記鏡胴１２の後部（すなわち、鏡筒１６においてズーム用可動リング１８よりも後方に位置する部位）の外周面には、１対の取付フランジ２２Ａ、２２Ｂが形成されている。これら取付フランジ２２Ａ、２２Ｂは、鏡胴１２の後部の左右両側部において、光軸Ａｘと平行に延びるようにして形成されており、その後端が鏡筒１６の後端環状部１６ａの途中まで延びている。
【００１２】
図３に示すように、上記各取付フランジ２２Ａ、２２Ｂには、光軸Ａｘ方向に延びる長孔２２ａが直列で２個ずつ形成されており、その一方（右側）の取付フランジ２２Ａには、略三角形の工具挿入孔２２ｂも形成されている。また、上記各取付フランジ２２Ａ、２２Ｂの上面には、１対の補強リブ２２ｃが形成されている。
【００１３】
一方、上記光学装置本体５０の前端面には、開口部５２と、この開口部５２の下半分を囲むようにして前方へ突出するブラケット５４とが形成されている。
上記開口部５２は、鏡筒１６の後端環状部１６ａよりも僅かに大きい径寸法に設定されており、上記後端環状部１６ａを挿入せしめた状態で該後端環状部１６ａを光軸Ａｘ方向に移動可能に保持するようになっている。
【００１４】
上記ブラケット５４は、断面Ｕ字状に形成されており、その左右１対の上端面が、上記１対の取付フランジ２２Ａ、２２Ｂを載せた状態でこれらを光軸Ａｘ方向に摺動可能に支持する１対のフランジ支持部５６Ａ、５６Ｂを構成している。これら各フランジ支持部５６Ａ、５６Ｂには、上記各取付フランジ２２Ａ、２２Ｂの前後１対の長孔２２ａと同一ピッチでネジ孔５６ａが２個ずつ形成されており、その一方（右側）のフランジ支持部５６Ａには、略逆三角形の工具挿入孔５６ｂも形成されている。
【００１５】
次に、上記鏡胴１２の光学装置本体５０への取付けは、次のようにして行われるようになっている。
すなわち、図１に示すように、鏡胴１２の１対の取付フランジを光学装置本体５０の１対のフランジ支持部５６Ａ、５６Ｂに載せて、鏡胴１２を後方（図示矢印方向）へ摺動させ、これにより、その鏡筒１６の後端環状部１６ａを光学装置本体５０の開口部５２に挿入する。そして、上記１対の取付フランジ２２Ａ、２２Ｂの４つの長孔２２ａを１対のフランジ支持部５６Ａ、５６Ｂの４つのネジ孔５６ａに位置合わせして、上記長孔２２ａにネジ１００を挿入してネジ孔５６ａと螺合させることにより、上記鏡胴１２を光学装置本体５０にネジ止め固定するようになっている。
【００１６】
図３に示すように、上記各長孔２２ａを各ネジ孔５６ａに位置合わせしたとき、右側の取付フランジ２２Ａの工具挿入孔２２ｂと、右側のフランジ支持部５６Ａの工具挿入孔５６ｂとが重なるようになっている。そして、上記各ネジ孔５６ａにネジ１００を挿入して鏡胴１２を光学装置本体５０に仮止めした状態で、上記工具挿入孔２２ｂおよび５６ｂにマイナスドライバを挿入してこれを回すことにより、鏡胴１２を光学装置本体５０に対して光軸Ａｘ方向に移動させて、その取付位置を微調整することができるようになっている。
【００１７】
以上詳述したように、本実施形態のレンズマウント構造は、鏡胴１２の後部外周面両側部に、ズームレンズ１４の光軸Ａｘと平行に延びる１対の取付フランジ２２Ａ、２２Ｂが形成されているとともに、光学装置本体５０に、鏡筒１６の後端環状部１６ａを挿入せしめた状態で該後端環状部１６ａを光軸Ａｘ方向に移動可能に保持する開口部５２と、上記１対の取付フランジ２２Ａ、２２Ｂを光軸Ａｘ方向に摺動可能に支持する１対のフランジ支持部５６Ａ、５６Ｂとが形成されているので、ズームレンズユニット１０全体を光軸Ａｘ方向に移動させてトラッキング調整を行うことができる。このため、従来のようにズームレンズのマスタ系レンズを光軸方向に移動させてトラッキング調整を行うようにした場合に生じていた像面湾曲の増大のおそれをなくすことができる。
【００１８】
また、本実施形態においては、上記１対の取付フランジ２２Ａ、２２Ｂに形成された長孔２２ａおよび１対のフランジ支持部５６Ａ、５６Ｂに形成されたネジ孔５６ａを介して、各取付フランジ２２Ａ、２２Ｂを各フランジ支持部５６Ａ、５６Ｂにネジ止め固定するようになっているので、トラッキング調整およびその後の固定を容易に行うことができる。
【００１９】
さらに、本実施形態においては、上記各長孔２２ａを各ネジ孔５６ａに位置合わせするとともにネジ１００によって鏡胴１２を光学装置本体５０に仮止めした状態で、右側の取付フランジ２２Ａおよびフランジ支持部５６Ａの工具挿入孔２２ｂおよび５６ｂにマイナスドライバを挿入してこれを回すことにより、鏡胴１２を光学装置本体５０に対して光軸Ａｘ方向に移動させるようになっているので、微調整移動が必要なトラッキング調整を容易に行うことができる。
【００２０】
特に、本実施形態においては、鏡胴１２の１対の取付フランジ２２Ａ、２２Ｂを光学装置本体５０の１対のフランジ支持部５６Ａ、５６Ｂに載せるとともに、鏡胴１２を後方へ摺動させてその鏡筒１６の後端環状部１６ａを光学装置本体５０の開口部５２に挿入した時点で、鏡胴１２に前方回転モーメントが作用するが、この前方回転モーメントは、上記後端環状部１６ａの上部が上記開口部５２の上縁に当接することにより受け止められるので、鏡胴１２はこれを手で保持していなくても光学装置本体５０に支持された状態に維持することができ、このためトラッキング調整を極めて容易に行うことができる。
【００２１】
なお、上記実施形態においては、光学装置本体５０の１対のフランジ支持部５６Ａ、５６Ｂが水平面内に形成されているが、水平面に対して傾斜した平面内に形成されている場合においても、像面湾曲を増大させるおそれなくトラッキング調整を行うことができる。
【００２２】
【発明の効果】
本発明のレンズマウント構造は、鏡胴の後部外周面両側部に、ズームレンズの光軸と平行に延びる１対の取付フランジが形成されているとともに、光学装置本体に、鏡胴の後端部を挿入せしめた状態で該後端部を前記光軸方向に移動可能に保持する開口部と、上記１対の取付フランジを光軸方向に摺動可能に支持する１対のフランジ支持部とが形成されているので、ズームレンズユニット全体を光軸方向に移動させてトラッキング調整を行うことができる。このため、従来のようにズームレンズのマスタ系レンズを光軸方向に移動させてトラッキング調整を行うようにした場合に生じていた像面湾曲の増大のおそれをなくすことができる。
【図面の簡単な説明】
【図１】本発明の一実施形態に係るレンズマウント構造を示す分解斜視図
【図２】図１のレンズマウント構造を示す側断面図
【図３】図２のIII方向矢視図
【図４】図２のIV方向矢視図
【図５】図２のV-V 線断面図
【符号の説明】
１０  ズームレンズユニット
１２  鏡胴
１４  ズームレンズ
１６  鏡筒
１６ａ  後端環状部
１８  ズーム用可動リング
２０  フォーカス用可動リング
２２Ａ、２２Ｂ  取付フランジ
２２ａ  長孔
２２ｂ  工具挿入孔
２２ｃ  補強リブ
５０  光学装置本体
５２  開口部
５４  ブラケット
５６Ａ、５６Ｂ  フランジ支持部
５６ａ  ネジ孔
５６ｂ  工具挿入孔
Ａｘ  光軸
【図１】
0003719694.tif 000002
【図２】
0003719694.tif 000003
【図３】
0003719694.tif 000004
【図４】
0003719694.tif 000005
【図５】
0003719694.tif 000006